(57)【特許請求の範囲】
【請求項１】
情報配信サーバからノードを介して移動局へ配信情報を送信する情報配信システムにおいて、
前記ノードは、
前記情報配信サーバから配信エリア情報およびサービス品質情報を含む制御パケットを受信する手段と、
前記制御パケットを受信する手段により受信した前記制御パケットに含まれる前記配信エリア情報に従って前記制御パケットをルーチングするノードを決定する手段と、
前記ルーチングするノードを決定する手段により決定されたルーチングノードが複数有る場合に前記制御パケットをコピーする手段と、
前記制御パケットを受信する手段により受信した前記制御パケットに含まれる前記サービス品質情報に従ってノード間パスを決定する手段と、
前記ノード間パスを決定する手段により決定された前記ノード間パスを用いて、前記制御用パケットをルーチングする手段と
を備えたことを特徴とする情報配信システム。
【請求項２】
請求項１に記載の情報配信システムにおいて、
前記ノードは、
前記ノード間パスを決定する手段により決定されたノード間パスに対応するパス識別子を、前記配信エリア情報および前記サービス品質情報と関連付けてシステムデータメモリに格納する手段を
さらに備えたことを特徴とする情報配信システム。
【請求項３】
請求項２に記載の情報配信システムにおいて、
前記ノードは、
前記情報配信サーバから前記配信エリア情報、前記サービス品質情報、および前記配信情報を含むユーザパケットを受信する手段と、
前記ユーザパケットを受信する手段により受信した前記ユーザパケットに含まれる前記配信エリア情報および前記サービス品質情報をキーにして、前記システムデータメモリから前記パス識別子を検索する手段と、
前記パス識別子を検索する手段により検索された前記ノード識別子に対応する前記ノード間パスを用いて、前記ユーザパケットをルーチングする手段と
をさらに備えたことを特徴とする情報配信システム。
【請求項４】
請求項３に記載の情報配信システムにおいて、
前記ノードは、
前記パス識別子を検索する手段により検索された前記パス識別子の数が、２つ以上のときに前記ユーザパケットをコピーする手段と、
前記パス識別子を検索する手段により検索された前記ノード識別子に対応する前記ノード間パスを用いて、前記ユーザパケットをコピーする手段によりコピーした前記ユーザパケットをルーチングする手段と
をさらに備えたことを特徴とする情報配信システム。
【請求項５】
請求項１乃至請求項４のいずれかに記載の情報配信システムにおいて、
前記サービス品質情報は、遅延情報、廃棄率情報、優先度情報、および帯域情報のうち少なくとも１つを含むことを特徴とする情報配信システム。
【請求項６】
情報配信サーバからノードを介して移動局へ配信情報を送信する情報配信システムにおいて、
前記ノードは、
階層的な自己のノードアドレスを格納する手段と、
宛先アドレス、配信エリア情報、および配信情報を含むユーザパケットを受信する手段と、
前記ユーザパケットを受信する手段により受信した前記ユーザパケットに含まれる前記宛先アドレスを、前記ノードアドレスを格納する手段により格納した前記自己のノードアドレスと比較する手段と、
前記比較手段に従って、配信方路を決定する手段と、
前記配信方路を決定する手段により決定された前記配信方路に前記ユーザパケットをルーチングする手段と
を備えたことを特徴とする情報配信システム。
【請求項７】
請求項６に記載の情報配信システムにおいて、前記階層的な自己のノードアドレスは、上位ノードのノードアドレスを含み、および／または下位ノードのノードアドレスに含まれることを特徴とする情報配信システム。
【請求項８】
請求項６または請求項７に記載の情報配信システムにおいて、
前記ノードは、
前記配信方路を決定する手段により決定された前記配信方路の数が、２つ以上のときに前記ユーザパケットをコピーする手段と、
前記配信方路を決定する手段により決定された前記配信方路に、前記ユーザパケットをコピーする手段によりコピーした前記ユーザパケットをルーチングする手段と
をさらに備えたことを特徴とする情報配信システム。
【請求項９】
情報配信サーバからノードを介して移動局へ配信情報を送信する情報配信システムにおいて、
前記ノードは、
階層的な自己のノードアドレスを格納する手段と、
宛先アドレス、配信エリア情報、および配信情報を含むユーザパケットを受信する手段と、
前記自己のノードアドレスを格納する手段により格納した前記自己のノードアドレスから、上位ノードのノードアドレスおよび／または下位ノードのノードアドレスを決定する手段と、
前記上位ノードのノードアドレスおよび／または下位ノードのノードアドレスを決定する手段により決定された前記上位ノードのノードアドレスおよび／または下位ノードのノードアドレスから配信方路を決定する手段と、
前記配信方路を決定する手段により決定された前記配信方路に前記ユーザパケットをルーチングする手段と
を備えたことを特徴とする情報配信システム。
【請求項１０】
請求項９に記載の情報配信システムにおいて、
前記ノードは、
前記配信方路を決定する手段により決定された前記配信方路の数が、２つ以上のときに前記ユーザパケットをコピーする手段と、
前記配信方路を決定する手段により決定された前記配信方路に、前記ユーザパケットをコピーする手段によりコピーした前記ユーザパケットをルーチングする手段と
をさらに備えたことを特徴とする情報配信システム。
【請求項１１】
請求項９または請求項１０に記載の情報配信システムにおいて、
前記ノードは、
前記自己のノードアドレスを格納する手段により格納した前記自己のノードアドレスを、前記ユーザパケットを受信する手段により受信した前記ユーザパケットに含まれる前記宛先アドレスと比較する手段と、
前記比較する手段の比較結果に従って、前記ユーザパケットをフィルタリングする手段と
をさらに備えたことを特徴とする情報配信システム。
【請求項１２】
請求項６乃至請求項１１のいずれかに記載の情報配信システムにおいて、前記宛先アドレスは、ＩＰアドレスであることを特徴とする情報配信システム。
【請求項１３】
請求項６乃至請求項１１のいずれかに記載の情報配信システムにおいて、前記配信エリア情報は、ＩＰアドレスであることを特徴とする情報配信システム。
【請求項１４】
請求項６乃至請求項１１のいずれかに記載の情報配信システムにおいて、前記自己のノードアドレスは、ＩＰアドレスであることを特徴とする情報配信システム。
【請求項１５】
情報配信サーバからノードを介して移動局へ配信情報を送信する情報配信方法であって、
前記ノードにおいて、
前記情報配信サーバから配信エリア情報およびサービス品質情報を含む制御パケットを受信するステップと、
前記制御パケットを受信するステップにより受信した前記制御パケットに含まれる前記配信エリア情報に従って前記制御パケットをルーチングするノードを決定するステップと、
前記ルーチングするノードを決定するステップにより決定されたルーチングノードが複数有る場合に前記制御パケットをコピーするステップと、
前記制御パケットを受信するステップにより受信した前記制御パケットに含まれる前記サービス品質情報に従ってノード間パスを決定するステップと、
前記ノード間パスを決定するステップにより決定された前記ノード間パスを用いて、前記制御用パケットをルーチングするステップと
を備えることを特徴とする情報配信方法。
【請求項１６】
請求項１５に記載の情報配信方法であって、
前記ノードにおいて、
前記ノード間パスを決定するステップにより決定されたノード間パスに対応するパス識別子を、前記配信エリア情報および前記サービス品質情報と関連付けてシステムデータメモリに格納するステップを
さらに備えることを特徴とする情報配信方法。
【請求項１７】
請求項１６に記載の情報配信方法であって、
前記ノードは、
前記情報配信サーバから前記配信エリア情報、前記サービス品質情報、および前記配信情報を含むユーザパケットを受信するステップと、
前記ユーザパケットを受信するステップにより受信した前記ユーザパケットに含まれる前記配信エリア情報および前記サービス品質情報をキーにして、前記システムデータメモリから前記パス識別子を検索するステップと、
前記パス識別子を検索するステップにより検索された前記ノード識別子に対応する前記ノード間パスを用いて、前記ユーザパケットをルーチングするステップと
をさらに備えることを特徴とする情報配信方法。
【請求項１８】
請求項１７に記載の情報配信方法であって、
前記ノードにおいて、
前記パス識別子を検索するステップにより検索された前記パス識別子の数が、２つ以上のときに前記ユーザパケットをコピーするステップと、
前記パス識別子を検索するステップにより検索された前記ノード識別子に対応する前記ノード間パスを用いて、前記ユーザパケットをコピーするステップによりコピーした前記ユーザパケットをルーチングするステップと
をさらに備えることを特徴とする情報配信方法。
【請求項１９】
請求項１５乃至請求項１８のいずれかに記載の情報配信方法であって、
前記サービス品質情報は、遅延情報、廃棄率情報、優先度情報、および帯域情報のうち少なくとも１つを含むことを特徴とする情報配信方法。
【請求項２０】
情報配信サーバからノードを介して移動局へ配信情報を送信する情報配信方法であって、
前記ノードにおいて、
階層的な自己のノードアドレスを格納するステップと、
宛先アドレス、配信エリア情報、および配信情報を含むユーザパケットを受信するステップと、
前記ユーザパケットを受信するステップにより受信した前記ユーザパケットに含まれる前記宛先アドレスを、前記ノードアドレスを格納するステップにより格納した前記自己のノードアドレスと比較するステップと、
前記比較ステップに従って、配信方路を決定するステップと、
前記配信方路を決定するステップにより決定された前記配信方路に前記ユーザパケットをルーチングするステップと
を備えることを特徴とする情報配信方法。
【請求項２１】
請求項２０に記載の情報配信方法であって、前記自己のノードアドレスは、上位ノードのノードアドレス、および／または下位ノードのノードアドレスを含むことを特徴とする情報配信方法。
【請求項２２】
請求項２０または請求項２１に記載の情報配信方法であって、
前記ノードにおいて、
前記配信方路を決定するステップにより決定された前記配信方路の数が、２つ以上のときに前記ユーザパケットをコピーするステップと、
前記配信方路を決定するステップにより決定された前記配信方路に、前記ユーザパケットをコピーするステップによりコピーした前記ユーザパケットをルーチングするステップと
をさらに備えることを特徴とする情報配信方法。
【請求項２３】
情報配信サーバからノードを介して移動局へ配信情報を送信する情報配信方法であって、
前記ノードにおいて、
自己のノードアドレスを格納するステップと、
宛先アドレス、配信エリア情報、および配信情報を含むユーザパケットを受信するステップと、
前記自己のノードアドレスを格納するステップにより格納した前記自己のノードアドレスから上位ノードのノードアドレスおよび／または下位ノードのノードアドレスを決定するステップと、
前記上位ノードのノードアドレスおよび／または下位ノードのノードアドレスを決定するステップにより決定された前記上位ノードのノードアドレスおよび／または下位ノードのノードアドレスから配信方路を決定するステップと、
前記配信方路を決定するステップにより決定された前記配信方路に前記ユーザパケットをルーチングするステップと
を備えることを特徴とする情報配信方法。
【請求項２４】
請求項２３に記載の情報配信方法であって、
前記ノードにおいて、
前記配信方路を決定するステップにより決定された前記配信方路の数が、２つ以上のときに前記ユーザパケットをコピーするステップと、
前記配信方路を決定するステップにより決定された前記配信方路に、前記ユーザパケットをコピーするステップによりコピーした前記ユーザパケットをルーチングするステップと
をさらに備えることを特徴とする情報配信方法。
【請求項２５】
請求項２３または請求項２４に記載の情報配信方法であって、
前記ノードにおいて、
前記自己のノードアドレスを格納するステップにより格納した前記自己のノードアドレスを、前記ユーザパケットを受信するステップにより受信した前記ユーザパケットに含まれる前記宛先アドレスと比較するステップと、
前記比較するステップの比較結果に従って、前記ユーザパケットをフィルタリングするステップと
をさらに備えることを特徴とする情報配信方法。
【請求項２６】
請求項２０乃至請求項２５のいずれかに記載の情報配信方法であって、前記宛先アドレスは、ＩＰアドレスであることを特徴とする情報配信方法。
【請求項２７】
請求項２０乃至請求項２５のいずれかに記載の情報配信方法であって、前記配信エリア情報は、ＩＰアドレスであることを特徴とする情報配信方法。
【請求項２８】
請求項２０乃至請求項２５のいずれかに記載の情報配信方法であって、前記自己のノードアドレスは、ＩＰアドレスであることを特徴とする情報配信方法。
【請求項２９】
情報配信サーバからノードを介して移動局へ配信情報を送信する情報配信システムにおけるノードであって、
前記情報配信サーバから配信エリア情報およびサービス品質情報を含む制御パケットを受信する手段と、
前記制御パケットを受信する手段により受信した前記制御パケットに含まれる前記配信エリア情報に従って前記制御パケットをルーチングするノードを決定する手段と、
前記ルーチングするノードを決定する手段により決定されたルーチングノードが複数有る場合に前記制御パケットをコピーする手段と、
前記制御パケットを受信する手段により受信した前記制御パケットに含まれる前記サービス品質情報に従ってノード間パスを決定する手段と、
前記ノード間パスを決定する手段により決定された前記ノード間パスを用いて、前記制御用パケットをルーチングする手段と
を備えたことを特徴とするノード。
【請求項３０】
情報配信サーバからノードを介して移動局へ配信情報を送信する情報配信システムにおけるノードであって、
階層的な自己のノードアドレスを格納する手段と、
宛先アドレス、配信エリア情報、および配信情報を含むユーザパケットを受信する手段と、
前記ユーザパケットを受信する手段により受信した前記ユーザパケットに含まれる前記宛先アドレスを、前記ノードアドレスを格納する手段により格納した前記自己のノードアドレスと比較する手段と、
前記比較手段に従って、配信方路を決定する手段と、
前記配信方路を決定する手段により決定された前記配信方路に前記ユーザパケットをルーチングする手段と
を備えたことを特徴とするノード。
【請求項３１】
情報配信サーバからノードを介して移動局へ配信情報を送信する情報配信システムにおけるノードであって、
階層的な自己のノードアドレスを格納する手段と、
宛先アドレス、配信エリア情報、および配信情報を含むユーザパケットを受信する手段と、
前記自己のノードアドレスを格納する手段により格納した前記自己のノードアドレスから上位ノードのノードアドレスおよび／または下位ノードのノードアドレスを決定する手段と、
前記上位ノードのノードアドレスおよび／または下位ノードのノードアドレスを決定する手段により決定された前記上位ノードのノードアドレスおよび／または下位ノードのノードアドレスから配信方路を決定する手段と、
前記配信方路を決定する手段により決定された前記配信方路に前記ユーザパケットをルーチングする手段と
を備えたことを特徴とするノード。
【発明の詳細な説明】
【０００１】
【発明の属する技術分野】
本発明は、情報配信システム、情報配信システムにおけるパケット伝送媒体、および情報配信方法に関し、特に移動通信網におけるユーザを意識しない全加入者型または特定地域型の情報配信に関する。
【０００２】
【従来の技術】
従来の情報配信技術を、図１を参照して以下に説明する。
【０００３】
従来の情報配信技術による情報配信システム１０は、一例として、情報配信サーバ２０、ゲートノード３０、中継ノード４０、エッジノード５０、および位置情報サーバ６０から構成される。ゲートノード３０および中継ノード４０は、情報のルーティングをルーティング情報に基づき行うルーティングノードである。
【０００４】
情報配信サーバ２０は、移動局７０に配信（送信）する配信情報および配信エリア情報を管理するファイルを有する。配信情報とは、移動局に配信するコンテンツ情報をいい、配信エリア情報とは、配信情報を配信するエリアを示す情報をいう。本従来例においてはノードは３層構造を有する。エッジノード５０は、最下層のノードであり、例えば基地局である。
【０００５】
位置情報サーバ６０は、移動局のアドレスに対する、該移動局が在圏するエリアを監視するエッジノードのアドレスの情報を管理する。位置情報サーバ６０としては、例えばホームロケーションレジスタ（ＨＬＲ）、ビジティングロケーションレジスタ（ＶＬＲ）が考えられる。
【０００６】
従来、情報配信システム１０において、情報配信サーバ２０から全加入者および特定地域に在圏するユーザ（移動局７０）へ情報配信をする場合、情報配信サーバ２０は、特定地域に在圏するユーザ（移動局７０）を以下の手順により特定し、配信情報をユーザ（移動局７０）毎に配信（送信）していた。
【０００７】
従来技術によるユーザを特定する手順を、図１を参照して以下に説明する。
【０００８】
最初に、情報配信サーバ２０は、ゲートノード３０に、送信したい配信エリア情報を送信する（ステップＳ１０１）。次に、在圏する移動局７０を特定するために、ゲートノード３０からホームロケーションレジスタ（ＨＬＲ）６０に配信エリア情報を送信する（ステップＳ１０２）。ホームロケーションレジスタ（ＨＬＲ）６０は、配信エリア情報から在圏するユーザ識別子（ＵＩＤ）に変換し、ゲートノードに返信する（ステップＳ１０３）。次に、ゲートノード３０からユーザ識別子を情報配信サーバ２０に返信する（ステップＳ１０４）。次に、情報配信サーバ２０は、特定地域（配信エリア）に在圏する全ユーザが特定できたので、情報配信サーバ２０からゲートノード３０までユーザ毎に情報を配信する（ステップＳ１０５）。次に、ゲートノード３０からエッジノード５０までのユーザ毎のコネクションを設定完了後、情報配信を開始する（ステップＳ１０６）。ただし、ステップＳ１０６のコネクション設定は、ステップＳ１０４と平行して行ってもよい。
【０００９】
このように、従来は、情報配信システムにおいて、情報配信サーバから全加入者および特定地域に在圏するユーザ（移動局）へ情報配信をする場合、情報配信サーバは、特定地域に在圏するユーザ（移動局）を最初に特定して、エッジノードまでのコネクションを設定してから、配信情報をユーザ（移動局）毎に配信（送信）していた。
【００１０】
また、同一のエッジノードが監視するエリアに同一のグループに属する複数のユーザ（移動局）が存在する場合でも、ユーザごとに呼制御信号を飛ばして位置を特定し、ユーザごとに情報を配信していた。
【００１１】
【発明が解決しようとする課題】
しかし、従来の情報配信方法では、ユーザを意識しない情報配信であるにもかかわらず、ホームロケーションレジスタ（ＨＬＲ）にユーザ識別子を問い合わせ、情報配信サーバからユーザ毎に情報配信する必要があるという問題があった。
【００１２】
また、配信する情報が少量であっても、ノード間に必ず呼制御信号を飛ばす必要があるため、ノードの処理能力低下につながったり、複雑なソフトウェアを開発する必要性を生じさせ、また設備的にも非効率となり、結果的にシステムコストがかかってしまうという問題があった。
【００１３】
また、同じグループのユーザに対して同じ情報を配信する際にも、ユーザごとに配信を行うため、ネットワークに輻輳が生じたり、情報配信サーバの負荷が増大するという問題もあった。
【００１４】
そこで、本発明の目的は、ユーザを意識しない情報配信を行う場合にノード自体が、ホームロケーションレジスタ（ＨＬＲ）を介在することなく、すなわち、ユーザを特定することなく配信エリアまでルーチングを行うことである。
【００１５】
また、情報を配信する際に、ネットワークの輻輳を防止し、情報配信サーバの負荷を軽減することも本発明の目的である。
【００１６】
そして、ノードにおいて、配信情報のコピーを効率的に行うことも本発明の目的である。
【００１７】
さらに、コネクションレス型の通信網ではパケット毎に配信エリア情報を解析し、パケットを方路数分コピーし、または全方路コピー後、目的の方路にコピーした情報を送信することも本発明の目的である。
【００１８】
【課題を解決するための手段】
上記目的を達成するために、請求項１に記載の発明は、情報配信サーバからノードを介して移動局へ配信情報を送信する情報配信システムにおいて、前記ノードは、前記情報配信サーバから配信エリア情報およびサービス品質情報を含む制御パケットを受信する手段と、前記制御パケットを受信する手段により受信した前記制御パケットに含まれる前記配信エリア情報に従って前記制御パケットをルーチングするノードを決定する手段と、前記ルーチングするノードを決定する手段により決定されたルーチングノードが複数有る場合に前記制御パケットをコピーする手段と、前記制御パケットを受信する手段により受信した前記制御パケットに含まれる前記サービス品質情報に従ってノード間パスを決定する手段と、前記ノード間パスを決定する手段により決定された前記ノード間パスを用いて、前記制御用パケットをルーチングする手段とを備えたことを特徴とする。
【００１９】
請求項２に記載の発明は、請求項１に記載の情報配信システムにおいて、前記ノードは、前記ノード間パスを決定する手段により決定されたノード間パスに対応するパス識別子を、前記配信エリア情報および前記サービス品質情報と関連付けてシステムデータメモリに格納する手段をさらに備えたことを特徴とする。
【００２０】
請求項３に記載の発明は、請求項２に記載の情報配信システムにおいて、前記ノードは、前記情報配信サーバから前記配信エリア情報、前記サービス品質情報、および前記配信情報を含むユーザパケットを受信する手段と、前記ユーザパケットを受信する手段により受信した前記ユーザパケットに含まれる前記配信エリア情報および前記サービス品質情報をキーにして、前記システムデータメモリから前記パス識別子を検索する手段と、前記パス識別子を検索する手段により検索された前記ノード識別子に対応する前記ノード間パスを用いて、前記ユーザパケットをルーチングする手段とをさらに備えたことを特徴とする。
【００２１】
請求項４に記載の発明は、請求項３に記載の情報配信システムにおいて、前記ノードは、前記パス識別子を検索する手段により検索された前記パス識別子の数が、２つ以上のときに前記ユーザパケットをコピーする手段と、前記パス識別子を検索する手段により検索された前記ノード識別子に対応する前記ノード間パスを用いて、前記ユーザパケットをコピーする手段によりコピーした前記ユーザパケットをルーチングする手段とをさらに備えたことを特徴とする。
請求項５に記載の発明は、請求項１乃至請求項４のいずれかに記載の情報配信システムにおいて、前記サービス品質情報は、遅延情報、廃棄率情報、優先度情報、および帯域情報のうち少なくとも１つを含むことを特徴とする。
【００２５】
請求項６に記載の発明は、情報配信サーバからノードを介して移動局へ配信情報を送信する情報配信システムにおいて、前記ノードは、階層的な自己のノードアドレスを格納する手段と、宛先アドレス、配信エリア情報、および配信情報を含むユーザパケットを受信する手段と、前記ユーザパケットを受信する手段により受信した前記ユーザパケットに含まれる前記宛先アドレスを、前記ノードアドレスを格納する手段により格納した前記自己のノードアドレスと比較する手段と、前記比較手段に従って、配信方路を決定する手段と、前記配信方路を決定する手段により決定された前記配信方路に前記ユーザパケットをルーチングする手段とを備えたことを特徴とする。
【００２６】
請求項７に記載の発明は、請求項６に記載の情報配信システムにおいて、前記階層的な自己のノードアドレスは、上位ノードのノードアドレスを含み、および／または下位ノードのノードアドレスに含まれることを特徴とする。
【００２７】
請求項８に記載の発明は、請求項６または請求項７に記載の情報配信システムにおいて、前記ノードは、前記配信方路を決定する手段により決定された前記配信方路の数が、２つ以上のときに前記ユーザパケットをコピーする手段と、前記配信方路を決定する手段により決定された前記配信方路に、前記ユーザパケットをコピーする手段によりコピーした前記ユーザパケットをルーチングする手段とをさらに備えたことを特徴とする。
【００２８】
請求項９に記載の発明は、情報配信サーバからノードを介して移動局へ配信情報を送信する情報配信システムにおいて、前記ノードは、階層的な自己のノードアドレスを格納する手段と、宛先アドレス、配信エリア情報、および配信情報を含むユーザパケットを受信する手段と、前記自己のノードアドレスを格納する手段により格納した前記自己のノードアドレスから上位ノードのノードアドレスおよび／または下位ノードのノードアドレスを決定する手段と、前記上位ノードのノードアドレスおよび／または下位ノードのノードアドレスを決定する手段により決定された前記上位ノードのノードアドレスおよび／または下位ノードのノードアドレスから配信方路を決定する手段と、前記配信方路を決定する手段により決定された前記配信方路に前記ユーザパケットをルーチングする手段とを備えたことを特徴とする。
【００２９】
請求項１０に記載の発明は、請求項９に記載の情報配信システムにおいて、前記ノードは、前記配信方路を決定する手段により決定された前記配信方路の数が、２つ以上のときに前記ユーザパケットをコピーする手段と、前記配信方路を決定する手段により決定された前記配信方路に、前記ユーザパケットをコピーする手段によりコピーした前記ユーザパケットをルーチングする手段とをさらに備えたことを特徴とする。
【００３０】
請求項１１に記載の発明は、請求項９または請求項１０に記載の情報配信システムにおいて、前記ノードは、前記自己のノードアドレスを格納する手段により格納した前記自己のノードアドレスを、前記ユーザパケットを受信する手段により受信した前記ユーザパケットに含まれる前記宛先アドレスと比較する手段と、前記比較する手段の比較結果に従って、前記ユーザパケットをフィルタリングする手段とをさらに備えたことを特徴とする。
【００３１】
請求項１２に記載の発明は、請求項６乃至請求項１１のいずれかに記載の情報配信システムにおいて、前記宛先アドレスは、ＩＰアドレスであることを特徴とする。
【００３２】
請求項１３に記載の発明は、請求項６乃至請求項１１のいずれかに記載の情報配信システムにおいて、前記配信エリア情報は、ＩＰアドレスであることを特徴とする。
【００３３】
請求項１４に記載の発明は、請求項６乃至請求項１１のいずれかに記載の情報配信システムにおいて、前記自己のノードアドレスは、ＩＰアドレスであることを特徴とする。
【００３７】
請求項１５に記載の発明は、情報配信サーバからノードを介して移動局へ配信情報を送信する情報配信方法であって、前記ノードにおいて、前記情報配信サーバから配信エリア情報およびサービス品質情報を含む制御パケットを受信するステップと、前記制御パケットを受信するステップにより受信した前記制御パケットに含まれる前記配信エリア情報に従って前記制御パケットをルーチングするノードを決定するステップと、前記ルーチングするノードを決定するステップにより決定されたルーチングノードが複数有る場合に前記制御パケットをコピーするステップと、前記制御パケットを受信するステップにより受信した前記制御パケットに含まれる前記サービス品質情報に従ってノード間パスを決定するステップと、前記ノード間パスを決定するステップにより決定された前記ノード間パスを用いて、前記制御用パケットをルーチングするステップとを備えることを特徴とする。
【００３８】
請求項１６に記載の発明は、請求項１５に記載の情報配信方法であって、前記ノードにおいて、前記ノード間パスを決定するステップにより決定されたノード間パスに対応するパス識別子を、前記配信エリア情報および前記サービス品質情報と関連付けてシステムデータメモリに格納するステップをさらに備えることを特徴とする。
【００３９】
請求項１７に記載の発明は、請求項１６に記載の情報配信方法であって、前記ノードは、前記情報配信サーバから前記配信エリア情報、前記サービス品質情報、および前記配信情報を含むユーザパケットを受信するステップと、前記ユーザパケットを受信するステップにより受信した前記ユーザパケットに含まれる前記配信エリア情報および前記サービス品質情報をキーにして、前記システムデータメモリから前記パス識別子を検索するステップと、前記パス識別子を検索するステップにより検索された前記ノード識別子に対応する前記ノード間パスを用いて、前記ユーザパケットをルーチングするステップとをさらに備えることを特徴とする。
【００４０】
請求項１８に記載の発明は、請求項１７に記載の情報配信方法であって、前記ノードにおいて、前記パス識別子を検索するステップにより検索された前記パス識別子の数が、２つ以上のときに前記ユーザパケットをコピーするステップと、前記パス識別子を検索するステップにより検索された前記ノード識別子に対応する前記ノード間パスを用いて、前記ユーザパケットをコピーするステップによりコピーした前記ユーザパケットをルーチングするステップとをさらに備えることを特徴とする。
請求項１９に記載の発明は、請求項１５乃至請求項１８のいずれかに記載の情報配信方法であって、前記サービス品質情報は、遅延情報、廃棄率情報、優先度情報、および帯域情報のうち少なくとも１つを含むことを特徴とする。
【００４１】
請求項２０に記載の発明は、情報配信サーバからノードを介して移動局へ配信情報を送信する情報配信方法であって、前記ノードにおいて、階層的な自己のノードアドレスを格納するステップと、宛先アドレス、配信エリア情報、および配信情報を含むユーザパケットを受信するステップと、前記ユーザパケットを受信するステップにより受信した前記ユーザパケットに含まれる前記宛先アドレスを、前記ノードアドレスを格納するステップにより格納した前記自己のノードアドレスと比較するステップと、前記比較ステップに従って、配信方路を決定するステップと、前記配信方路を決定するステップにより決定された前記配信方路に前記ユーザパケットをルーチングするステップとを備えることを特徴とする。
【００４２】
請求項２１に記載の発明は、請求項２０に記載の情報配信方法であって、前記自己のノードアドレスは、上位ノードのノードアドレス、および／または下位ノードのノードアドレスを含むことを特徴とする。
【００４３】
請求項２２に記載の発明は、請求項２０または請求項２１に記載の情報配信方法であって、前記ノードにおいて、前記配信方路を決定するステップにより決定された前記配信方路の数が、２つ以上のときに前記ユーザパケットをコピーするステップと、前記配信方路を決定するステップにより決定された前記配信方路に、前記ユーザパケットをコピーするステップによりコピーした前記ユーザパケットをルーチングするステップとをさらに備えることを特徴とする。
【００４４】
請求項２３に記載の発明は、情報配信サーバからノードを介して移動局へ配信情報を送信する情報配信方法であって、前記ノードにおいて、自己のノードアドレスを格納するステップと、宛先アドレス、配信エリア情報、および配信情報を含むユーザパケットを受信するステップと、前記自己のノードアドレスを格納するステップにより格納した前記自己のノードアドレスから上位ノードのノードアドレスおよび／または下位ノードのノードアドレスを決定するステップと、前記上位ノードのノードアドレスおよび／または下位ノードのノードアドレスを決定するステップにより決定された前記上位ノードのノードアドレスおよび／または下位ノードのノードアドレスから配信方路を決定するステップと、前記配信方路を決定するステップにより決定された前記配信方路に前記ユーザパケットをルーチングするステップとを備えることを特徴とする。
【００４５】
請求項２４に記載の発明は、請求項２３に記載の情報配信方法であって、前記ノードにおいて、前記配信方路を決定するステップにより決定された前記配信方路の数が、２つ以上のときに前記ユーザパケットをコピーするステップと、前記配信方路を決定するステップにより決定された前記配信方路に、前記ユーザパケットをコピーするステップによりコピーした前記ユーザパケットをルーチングするステップとをさらに備えることを特徴とする情報配信方法。
【００４６】
請求項２５に記載の発明は、請求項２３または請求項２４に記載の情報配信方法であって、前記ノードにおいて、前記自己のノードアドレスを格納するステップにより格納した前記自己のノードアドレスを、前記ユーザパケットを受信するステップにより受信した前記ユーザパケットに含まれる前記宛先アドレスと比較するステップと、前記比較するステップの比較結果に従って、前記ユーザパケットをフィルタリングするステップとをさらに備えることを特徴とする。
【００４７】
請求項２６に記載の発明は、請求項２０乃至請求項２５のいずれかに記載の情報配信方法であって、前記宛先アドレスは、ＩＰアドレスであることを特徴とする。
【００４８】
請求項２７に記載の発明は、請求項２０乃至請求項２５のいずれかに記載の情報配信方法であって、前記配信エリア情報は、ＩＰアドレスであることを特徴とする。
【００４９】
請求項２８に記載の発明は、請求項２０乃至請求項２５のいずれかに記載の情報配信方法であって、前記自己のノードアドレスは、ＩＰアドレスであることを特徴とする。
【００５０】
請求項２９に記載の発明は、情報配信サーバからノードを介して移動局へ配信情報を送信する情報配信システムにおけるノードであって、前記情報配信サーバから配信エリア情報およびサービス品質情報を含む制御パケットを受信する手段と、前記制御パケットを受信する手段により受信した前記制御パケットに含まれる前記配信エリア情報に従って前記制御パケットをルーチングするノードを決定する手段と、前記ルーチングするノードを決定する手段により決定されたルーチングノードが複数有る場合に前記制御パケットをコピーする手段と、前記制御パケットを受信する手段により受信した前記制御パケットに含まれる前記サービス品質情報に従ってノード間パスを決定する手段と、前記ノード間パスを決定する手段により決定された前記ノード間パスを用いて、前記制御用パケットをルーチングする手段とを備えたことを特徴とする。
【００５１】
請求項３０に記載の発明は、情報配信サーバからノードを介して移動局へ配信情報を送信する情報配信システムにおけるノードであって、階層的な自己のノードアドレスを格納する手段と、宛先アドレス、配信エリア情報、および配信情報を含むユーザパケットを受信する手段と、前記ユーザパケットを受信する手段により受信した前記ユーザパケットに含まれる前記宛先アドレスを、前記ノードアドレスを格納する手段により格納した前記自己のノードアドレスと比較する手段と、前記比較手段に従って、配信方路を決定する手段と、前記配信方路を決定する手段により決定された前記配信方路に前記ユーザパケットをルーチングする手段とを備えたことを特徴とする。
【００５２】
請求項３１に記載の発明は、情報配信サーバからノードを介して移動局へ配信情報を送信する情報配信システムにおけるノードであって、階層的な自己のノードアドレスを格納する手段と、宛先アドレス、配信エリア情報、および配信情報を含むユーザパケットを受信する手段と、前記自己のノードアドレスを格納する手段により格納した前記自己のノードアドレスから上位ノードのノードアドレスおよび／または下位ノードのノードアドレスを決定する手段と、前記上位ノードのノードアドレスおよび／または下位ノードのノードアドレスを決定する手段により決定された前記上位ノードのノードアドレスおよび／または下位ノードのノードアドレスから配信方路を決定する手段と、前記配信方路を決定する手段により決定された前記配信方路に前記ユーザパケットをルーチングする手段とを備えたことを特徴とする。
【００５３】
以上の構成によれば、ユーザを意識しない情報配信を行う場合にノード自体が、ホームロケーションレジスタ（ＨＬＲ）を介在することなく、すなわち、ユーザを特定することなく配信エリアまでルーチングを行うことができる。
【００５４】
また、情報を配信する際に、ネットワークの輻輳を防止し、情報配信サーバの負荷を軽減することもできる。
【００５５】
そして、ノードにおいて、配信情報のコピーを効率的に行うこともできる。
【００５６】
さらに、コネクションレス型の通信網ではパケット毎に配信エリア情報を解析し、パケットを方路数分コピーし、または全方路コピー後、目的の方路にコピーした情報を送信することもできる。
【００５７】
【発明の実施の形態】
以下、本発明を実施するための形態について説明する。
【００５８】
＜転送ルート方式＞
本発明において、情報配信サーバからユーザへの転送ルートにおけるノード間の転送方式については、固定パス方式または非固定パス方式のうちいずれの方式も採用することができる。
【００５９】
まず、固定パス方式について図２乃至図４を参照して説明する。
【００６０】
固定パス方式とは、コンテンツ毎に要求されるサービス品質（遅延、廃棄率、優先度、帯域等）に従ったノード間のパスが固定的に決まっており、配信エリア情報やサービス品質情報を含んだ制御パケットをユーザパケット転送前に各ノードが受信し、各ノードが配信エリア情報やサービス品質情報に基づいて固定パスを設定することにより転送ルートのコネクションを設定し、かかるコネクション設定後にユーザパケットを中継ノードが受信し、設定された方路にコピーする方式をいう。
【００６１】
図２を参照して、本発明による固定パスの概念を説明する。
【００６２】
ノード２０２とノード２０４との間には、固定パス２０６、２０８、２１０が複数本設定されており、それぞれ異なったサービス品質に対応している。各サービス品質に対応する固定パスは、複数存在してもよい。図２の例では、サービス品質１に対応するのがパス識別子１（ＰＩ１）の固定パスであり、サービス品質２に対応するのがパス識別子２（ＰＩ２）の固定パスであり、サービス品質３に対応するのがパス識別子３（ＰＩ３）の固定パスである。サービス品質は、遅延時間、廃棄率、優先度、帯域等のうち少なくともひとつを含む。
【００６３】
図３は、本発明による固定パス方式の情報配信システムのシステム構成の一例を示す図である。
本発明による固定パス方式の情報配信システム３００は、一例として、情報配信サーバ２０、ゲートノード３０、中継ノード４０、４５およびエッジノード５０から構成される。
【００６４】
情報配信サーバ２０は、配信情報と、サービス品質情報と、配信エリア情報とを管理するファイルを有する。配信情報とは、移動局７０に配信するコンテンツ情報をいい、サービス品質情報とは、配信情報を配信するときのサービス品質と示す情報をいい、配信エリア情報とは、配信情報を配信するエリアを示す情報をいう。図３においてはノードは４層構造を有するが、本発明はこれに限定されるものではなく、複数の階層を有するすべてのノード構成において適用できる。例えば、図３の例とは異なり、中継ノード４０、４５を介さずに、ゲートノード３０とエッジノード５０とを直接接続したネットワーク構成とすることもできる。その場合、ゲートノード３０は情報を直接エッジノード５０に送信することになる。
【００６５】
制御パケット３０２は、配信情報の配信前に情報配信サーバ２０および各ノード３０、４０、４５、５０により送信および／または受信される。
【００６６】
３０４〜３０６は、各ノードが有するシステムデータメモリに格納されたデータ内容を示す。
【００６７】
図４は、本発明による固定パス方式の情報配信方法の手順を示すフロー図である。
【００６８】
ます、ステップＳ４０１において、情報配信サーバ２０は、制御パケット３０２をゲートノード３０に送信する。制御パケット３０２は、少なくとも配信エリア情報（ＧｅＩＤ）およびサービス品質情報（ＱｏＳ  Ｔｙｐｅ）を含む。
【００６９】
次に、ステップＳ４０２において、ゲートノード３０は、制御パケット３０２を解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリ３０４に格納し、転送パスが複数あれば制御パケットをコピーして中継ノード４０に送信する。
【００７０】
次に、ステップＳ４０３において、中継ノード４０は、制御パケット３０２を解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリ３０６に格納し、転送パスが複数あれば制御パケットをコピーして中継ノード４５に送信する。
【００７１】
次に、ステップＳ４０４において、中継ノード４５は、制御パケット３０２を解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリ３０８に格納し、転送パスが複数あれば制御パケットをコピーしてエッジノード（基地局）５０に送信する。
【００７２】
次に、ステップＳ４０５において、エッジノード５０に制御パケット３０２が到着すると、「リンク設定完了応答」を示す制御パケットを情報配信サーバ２０に送信する。
【００７３】
次に、ステップＳ４０６において、情報配信サーバ２０に「リンク設定完了応答」を示す制御パケットが到着すると、配信情報がステップＳ４０１からステップＳ４０４において設定されたコネクションリンクを介して転送される。
【００７４】
最後に、ステップＳ４０７において、配信情報はエッジノード５０において移動局分だけコピーされ、各移動局に送信される。また、同じグループに属する移動局のみに特定のグループＩＤを持たせ、エッジノード５０は、送信する情報にそのグループＩＤを付加して一斉同報するようにしてもよい。こうすれば、そのグループＩＤを持っている（そのグループに属する）移動局のみがその情報を取得することができる。
【００７５】
次に、非固定パス方式について図５乃至図７を参照して説明する。
【００７６】
非固定パス方式とは、各ノードが階層的なノードアドレスを持つことにより、各ノードは配下の収容形態に対応した包含的な上位階層アドレスと配下のサブアドレスを管理し、各ノードが配信エリア情報に従って配下のノードに対しユーザパケットをコピーして転送する方式である。
【００７７】
図５は、本発明による非固定パス方式における階層的ノードアドレスの概念を示す図である。
【００７８】
各ノード３０、４０、４５、５０は、それぞれ階層的な自己のノードアドレスを、各ノードのシステムデータメモリ中に有する。ここで、「階層的」とは、自己のノードアドレスが、上位ノードアドレスを包含し、および／または下位ノードアレスに包含されるこという。
【００７９】
例えば、中継ノード４０Ａの自己のノードアレス“００”は、上位ノードであるゲートノード３０のノードアドレス“０”を包含し、および下位ノードである中継ノード４５Ａ、４５Ｂのノードアドレス“０００”、“００１”に包含される。ノードアドレスは、例えばＩＰアドレスである。
【００８０】
図６は、本発明による非固定パス方式の情報配信システムのシステム構成の一例を示す図である。
本発明による固定パス方式の情報配信システム６００は、一例として、情報配信サーバ２０、ゲートノード３０、中継ノード４０、４５およびエッジノード５０から構成される。
【００８１】
情報配信サーバ２０は、移動局７０に配信（送信）する配信情報と、配信エリア情報とを管理するファイルを有する。配信情報とは、移動局に配信するコンテンツ情報をいい、配信エリア情報とは、配信情報を配信するエリアを示す情報をいう。本従来例においてはノードは４層構造を有するが、本発明はこれに限定されるものではなく、複数の階層を有するすべてのノード構成において適用できる。
【００８２】
ユーザパケット６０２、６０４は、情報配信サーバ２０および各ノード３０、４０、４５、５０により送信および／または受信される。ユーザパケットは、例えばＩＰパケットである。
【００８３】
ゲートノード３０は、配信エリア情報とエッジノード５０との対応テーブル６０６を備える。対応テーブル６０２中には、異なるアドレス体系を持つネットワークと接続する時に使用する上位ノードアドレスと下位ノードアドレスを有してもよい。
【００８４】
各ノード３０、４０、４５、５０には、図５において説明したような階層的な自己のノードアドレスが割り当てられている。すなわちゲートノード３０には、下位ノードアドレスに包含されるようなノードアドレス“０”を割り当てる。中継ノード４０には、ゲートノード３０のノードアドレスを包含し、中継ノード４５のノードアドレスに包含されるようなノードアドレス“００”、“０１”を割り当てる。中継ノード４５には、中継ノード４０のノードアドレスを包含し、エッジノード５０のノードアドレスに包含されるようなノードアドレス“０００”、“００１”、“０１０”、“０１１”を割り当てる。エッジノード５０には中継ノード４５のノードアドレスを包含するようなノードアドレス“００００”〜“０１１１”を割り当てる。ここで、ノードアドレスは例えばＩＰアドレスである。
【００８５】
図７は、本発明による非固定パス方式の情報配信方法の手順を示すフロー図である。
【００８６】
最初に、ステップＳ７０１において、情報配信サーバ２０は、配信情報および配信エリア情報を含むユーザパケット６０２をゲートノード３０に送信する。
【００８７】
次に、ステップＳ７０２において、ゲートノード３０は、配信エリア情報とエッジノード５０との対応テーブル６０６を検索して、ユーザパケット６０２中の配信エリア情報に対応するエッジノードを決定し、ユーザパケットをエッジノードアドレス（ＥＡＤ）でカプセル化する６０４。すなわち、宛先アドレスとして、エッジノードアドレスを設定する。ここで、配信エリア情報に宛先アドレスが含まれていれば、ステップＳ７０２は省略される。
【００８８】
次に、ステップＳ７０３において、中継ノード４０、４５は、宛先アドレスであるエッジノードアドレスに従って、カプセル化されたユーザパケット６０４をエッジノード５０までルーチングする。
【００８９】
ここで、配信エリア情報および宛先アドレスは、例えばＩＰアドレスである。
【００９０】
＜パケットコピー方式＞
本発明において、情報配信サーバからユーザへの転送ルートにおけるノード間のパケットコピー方式については、消極コピー方式または積極コピー方式のうちいずれの方式も採用することができる。
【００９１】
消極コピー方式とは、ユーザパケットまたは制御パケット中に情報配信（放送）範囲に関する地域ＩＤ等の配信エリア情報、または宛先アドレスが含まれ、各中継ノードはその配信エリア情報、または宛先アドレスに基づいて配信されるノード数を決定し、該ノード数に対応してユーザパケットまたは制御パケットをコピーする方式をいう。
【００９２】
また、積極コピー方式とは、各中継ノードでは配下の上位ノードおよび／または下位ノードの全方路に対してユーザパケットまたは制御パケットのコピーを行うが、ユーザパケットまたは制御パケット中の配信エリア情報、または宛先アドレスに従って設定した方路によりパケットのフィルタリングをする方式をいう。
【００９３】
まず、消極コピー方式について図８を参照して説明する。
【００９４】
図８に本発明による消極コピー方式の概念図を示す。
【００９５】
あるノードは、配下の下位ノードＡ〜Ｄ  ８０２〜８０８が有る場合に、パケット８１２内の配信エリア情報（方路情報）、または宛先アドレスに基づいて、方路テーブル８１０を作成し、選択された配信方路（Ａ、Ｄ）のみに対し、パケットをコピーして送信する。
【００９６】
ここで、配信エリア情報は、配信エリアの識別子をいい、例えば関東、横浜等の地域コード、またはその地域に存在するエッジノードのＩＰアドレス等である。宛先アドレスとは、配信エリアから検索したエッジノードアドレスをいう。配信方路とは、宛先アドレスと上位ノードアドレスまたは下位ノードアドレスとの比較により決まる方路をいう。
【００９７】
次に、積極コピー方式について図９を参照して説明する。
【００９８】
図９は、本発明による積極コピー方式の概念を示す図である。
【００９９】
あるノードは、配下の下位ノードＡ〜Ｄ  ９０２〜９０８が有る場合に、全下位ノードに対しパケットをコピーする。その後、パケット９１２内の配信エリア情報（方路情報）、または宛先アドレスに基づいて、それぞれ方路テーブル９１０を作成してパケットのフィルタリングを行い、選択された配信方路（Ａ、Ｄ）のみパケットを通過させる。
【０１００】
＜移動通信形態＞
本発明において、移動通信形態については、コネクション型通信またはコネクションレス型通信のうちいずれの通信形態も採用することができる。
【０１０１】
ここで、コネクション型通信とは、事前に制御パケットを送信してコネクションを設定してから配信情報を配信する通信形態をいい、コネクションレス型通信とは、事前にコネクションを設定せずに配信情報を配信する通信形態をいう。
【０１０２】
本発明によるコネクション型通信で全加入者や特定地域への情報配信を行う場合、ゲートノードは、コネクションを設定するための制御パケット（配信配信エリア情報やサービス品質情報を含む）をゲートノードに送信したとき、ホームロケーションレジスタ（ＨＬＲ）に問い合わせることなく、固定パス方式に従ってコネクションを設定する。各ノードのシステムデータメモリ中に転送すべき次方路（次ノード）を格納してエッジノードまでのコネクションを設定することになる。コネクション設定が完了すると情報配信サーバからユーザパケットを送信し、そのとき各ノードでは、システムデータメモリに格納された次方路に従い、パケットをコピーして転送する。コピー方式は、消極コピー方式をとる。
【０１０３】
本発明によるコネクションレス型通信で、全加入者や特定地域への情報配信を行う場合、情報配信サーバは、配信エリア情報を含むユーザパケットをゲートノードに送信し、ホームロケーションレジスタ（ＨＬＲ）に問い合わせることなく、非固定パス方式に従ってユーザパケットを配信する。コピー方式は消極コピー方式または積極コピー方式をとる。
【０１０４】
以上の説明では、転送ルート方式、パケットコピー方式および通信形態に分けて説明したが、それぞれの方式が混在した情報配信方式も考えられる。
【０１０５】
以下の実施例において、それぞれの方式が混在した情報配信方式の一例を示す。本発明は、これらの実施例に限定されないだけでなく、特許請求の範囲の記載に適合するすべての実施例を含むものであることは明らかである。
【０１０６】
（実施例１）
本発明による固定パス方式かつ消極コピー方式の情報配信方式の実施例１について図１０乃至図１２を参照して説明する。
【０１０７】
図１０は、本発明による固定パス方式かつ消極コピー方式の情報配信システムのシステム構成の一例を示す図である。
本発明による固定パス方式の情報配信システム１０００は、一例として、情報配信サーバ２０、ゲートノード３０、中継ノード４０、４５およびエッジノード５０から構成される。
【０１０８】
情報配信サーバ２０は、配信情報と、サービス品質情報と、配信エリア情報とを管理するファイルを有する。本従来例においてはノードは４層構造を有するが、本発明はこれに限定されるものではなく、複数の階層を有するすべてのノード構成において適用できる。
【０１０９】
ユーザパケット１００２は、配信情報の配信前に情報配信サーバ２０および各ノード３０、４０、４５、５０により送信および／または受信される。
【０１１０】
１００４〜１００８は、各ノードが有するシステムデータメモリに格納されたデータ内容を示す。
【０１１１】
図１１は、本発明による固定パス方式の情報配信方法の手順を示すフロー図である。
【０１１２】
まず、ステップＳ１１０１において、情報配信サーバ２０は、制御パケットをゲートノード３０に送信する。制御パケットは、少なくとも配信エリア情報（ＧｅＩＤ）およびサービス品質情報（ＱｏＳ  Ｔｙｐｅ）を含む。
【０１１３】
次に、ステップＳ１１０２において、ゲートノード３０は、制御パケットを解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリに格納し、転送パスが複数あれば制御パケットをコピーして中継ノード４０に送信する。
【０１１４】
次に、ステップＳ１１０３において、中継ノード４０は、制御パケットを解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリに格納し、転送パスが複数あれば制御パケットをコピーして中継ノード４５に送信する。
【０１１５】
次に、ステップＳ１１０４において、中継ノード４５は、制御パケットを解析し、配信エリア情報とサービス品質情報との組み合わせから次ノードの固定パスをシステムデータメモリから検索して転送パスを決定し、配信エリア情報とサービス品質情報と転送パスの組み合わせをシステムデータメモリに格納し、転送パスが複数あれば制御パケットをコピーしてエッジノード（基地局）５０に送信する。
【０１１６】
次に、ステップＳ１１０５において、エッジノード５０に制御パケットが到着すると、「リンク設定完了応答」を示す制御パケットを情報配信サーバ２０に送信する。
【０１１７】
次に、ステップＳ１１０６において、情報配信サーバ２０に「リンク設定完了応答」を示す制御パケットが到着すると、ユーザパケット１００２の送信開始となる。
【０１１８】
次に、ステップＳ１１０７において、情報配信サーバ２０から送出されたユーザパケット１００２をゲートノード３０において受信すると、消極コピーを行うとともに送信エリア情報とサービス品質情報からシステムデータメモリに登録されているパス識別子（ＰＩＤ）を検索し、パス識別子でユーザパケットをカプセル化し、中継ノード４０に転送する。
【０１１９】
次に、ステップＳ１１０８において、ユーザパケットがエッジノード５０に到着するまで、中継ノード４０、４５では消極コピーおよび登録されている次ノードＰＩＤの付替えを繰り返す。
【０１２０】
ここで、図１２を参照して、図１０および図１１で説明した実施例１におけるユーザパケットのフレーム構成を説明する。
【０１２１】
情報配信サーバ２０は、ユーザパケット１２０２をゲートノード３０に送信する。ゲートノード３０は、パス識別子（ＰＩＤ）をユーザパケットに付加して（１２０４）、中継ノード４０に送信する。中継ノード４０は、パス識別子を付け替えて（１２０６）、中継ノード４５に送信する。中継ノード４５は、ユーザパケットの消極コピーを行い、パス識別子を付け替え（１２０８、１２１０）、エッジノード５０に送信する。エッジノード５０は、ユーザパケットのパス識別子を取り外して、各移動局に配信情報をコピーして配信（送信）する。
【０１２２】
（実施例２）
本発明による非固定パス方式かつ消極コピー方式の情報配信方式の実施例２について、前述した図６と、図１３および図１４を参照して説明する。
【０１２３】
実施例２のシステム構成は、非固定パス方式を示す図６と同一である場合を例にして説明する。
【０１２４】
図１３は、本発明による非固定パス方式かつ消極コピー方式の情報配信方法の手順を示すフロー図である。
【０１２５】
最初に、ステップＳ１３０１において、情報配信サーバ２０は、配信情報および配信エリア情報を含むユーザパケット６０２をゲートノード３０に送信する。非固定パス方式のノードアドレスは、階層的なノードアドレスとなっており、各ノードは包含的な上位階層アドレスと配下のサブアドレスを管理して、ゲートノードにおいて到着したユーザパケットに配信エリア情報に対応するエッジノードアドレスを付与されている。
【０１２６】
次に、ステップＳ１３０２において、ゲートノード３０は、配信エリア情報とエッジノード５０との対応テーブル６０６を検索して、ユーザパケット６０２中の配信エリア情報に対応するエッジノードを決定し、ユーザパケットをエッジノードアドレス（ＥＡＤ）でカプセル化する６０４。すなわち、宛先アドレスとして、エッジノードアドレスを設定する。
【０１２７】
次に、ステップＳ１３０３において、中継ノード４０、４５は、宛先アドレスであるエッジノードアドレスに従って、ノードの次階層に対応する範囲までエッジノードアドレスを比較する。
【０１２８】
次に、ステップＳ１３０３における比較の結果、異なるエッジノードアドレスが存在するならば、送信方路が複数あるので、異なった数分のユーザパケットをコピーし、異なるエッジノードアドレスを付与し、対応する複数方路に送信する（ステップＳ１３０４）。
【０１２９】
また、ステップＳ１３０３における比較の結果、異なるエッジノードアドレスが存在しないならば、送信方路は一方路であるので、コピーせずにユーザパケットを該当する方路に送信する（ステップＳ１３０５）。
【０１３０】
次に、ステップＳ１３０６において、エッジノードに到着するまでステップＳ１３０３〜ステップＳ１３０５を繰り返す。
【０１３１】
図１４は、図６および図１３で説明した実施例２における方路選択方法およびパケットコピー方法を示す図である。
【０１３２】
ステップＳ１４０１において、ゲートノード３０はユーザパケットの宛先アドレス情報を参照して、中継ノード４０“００”にパケットが送信される。
【０１３３】
ステップＳ１４０２において、中継ノード４０はユーザパケットの宛先アドレス情報を参照して、中継ノード４５“０００”にパケットが送信される。
【０１３４】
ステップＳ１４０３において、中継ノード４５はユーザパケットの宛先アドレス情報を参照して、エッジノード５０“００００”および“０００１”にパケットがコピーされて、送信される。
【０１３５】
ここで、配信エリア情報および宛先アドレスは、例えばＩＰアドレスである。
【０１３６】
（実施例３）
本発明による非固定パス方式かつ積極コピー方式の情報配信方式の実施例３について、前述した図６と、図１５および図１６を参照して説明する。
【０１３７】
実施例３のシステム構成は、非固定パス方式を示す図６と同一である場合を例にして説明する。
【０１３８】
図１５は、本発明による非固定パス方式かつ積極コピー方式の情報配信方法の手順を説明するフロー図である。
【０１３９】
最初に、ステップＳ１５０１において、情報配信サーバ２０は、配信情報および配信エリア情報を含むユーザパケット６０２をゲートノード３０に送信する。非固定パス方式のノードアドレスは、階層的なノードアドレスとなっており、各ノードは包含的な上位階層アドレスと配下のサブアドレスを管理して、ゲートノードにおいて到着したユーザパケットに配信エリア情報に対応するエッジノードアドレスを付与されている。
【０１４０】
次に、ステップＳ１５０２において、ゲートノード３０は、配信エリア情報とエッジノード５０との対応テーブル６０６を検索して、ユーザパケット６０２中の配信エリア情報に対応するエッジノードを決定し、ユーザパケットをエッジノードアドレス（ＥＡＤ）でカプセル化する６０４。すなわち、宛先アドレスとして、エッジノードアドレスを設定する。
【０１４１】
次に、ステップＳ１５０３において、各ノードは、配下の全下位ノード（方路）数分のコピーを行なう。
【０１４２】
次に、ステップＳ１５０４において、各ノードは、あらかじめシステムデータメモリに登録されているコピー後ユーザパケットを通過させてもよい次ノードアドレスと通過させない次ノードアドレスの対応テーブルを参照し、ユーザパケット６０２中のエッジノードと比較する。
【０１４３】
ステップＳ１５０４における比較の結果、ユーザパケットに付与された次ノードアドレスがシステムデータに存在すれば（ノードの階層に対応する範囲までエッジノードアドレスを比較する）、該当する次ノードアドレスのみ残し、該当しない次ノードアドレスは削除して、ユーザパケットを送信する（ステップＳ１５０５）。
【０１４４】
ステップＳ１５０４における比較の結果、ユーザパケットに付与された次ノードアドレスがシステムデータに全く存在しなければ（ノードの階層に対応する範囲まで次ノードアドレスを比較する）、そのユーザパケットを廃棄する（ステップＳ１５０６）。
【０１４５】
次に、ステップＳ１５０７において、エッジノードに到着するまでステップＳ１５０３〜ステップＳ１５０６を繰り返す。
【０１４６】
図１６を参照して、図６および図１５で説明した実施例３における方路選択方法およびパケットコピー方法を説明する。
【０１４７】
ステップＳ１６０１において、ゲートノード３０はユーザパケットを方路分コピーした後、ユーザパケットの宛先アドレス情報を参照して、中継ノード“００”にパケットが送信される。
【０１４８】
ステップＳ１６０２において、中継ノード４０はユーザパケットを方路分コピーした後、ユーザパケットの宛先アドレス情報を参照して、中継ノード“０００”にパケットが送信される。
【０１４９】
ステップＳ１６０４において、中継ノード４５はユーザパケットを方路分コピーした後、ユーザパケットの宛先アドレス情報を参照して、エッジノード“００００”および“０００１”にパケットが送信される。
【０１５０】
【発明の効果】
以上説明したように、本発明によれば、ユーザを意識しない情報配信を行う場合に各ノードが、ホームロケーションレジスタ（ＨＬＲ）を介在することなく、すなわち、ユーザ（移動局）を特定することなく、配信エリアまでルーチングを行うことができる。
【０１５１】
また、情報を配信する際に、ネットワークの輻輳を防止し、情報配信サーバの負荷を軽減することもできる。
【０１５２】
そして、各ノードにおいて、配信情報のコピーを効率的に行うこともできる。
【図面の簡単な説明】
【図１】従来技術による情報配信システムを示す図である。
【図２】本発明による固定パスの概念を説明する図である。
【図３】本発明による固定パス方式の情報配信システムのシステム構成の一例を示す図である。
【図４】本発明による固定パス方式の情報配信方法の手順を示すフロー図である。
【図５】本発明による非固定パス方式における階層的ノードアドレスの概念を示す図である。
【図６】本発明による非固定パス方式の情報配信システムのシステム構成の一例を示す図である。
【図７】本発明による非固定パス方式の情報配信方法の手順を示すフロー図である。
【図８】本発明による消極コピー方式の概念を示す図である。
【図９】本発明による積極コピー方式の概念を示す図である。
【図１０】本発明による固定パス方式の情報配信システムのシステム構成の一例を示す図である。
【図１１】本発明による固定パス方式の情報配信方法の手順を示すフロー図である。
【図１２】本発明の実施例１におけるユーザパケットのフレーム構成の一例を示す図である。
【図１３】本発明による非固定パス方式かつ消極コピー方式の情報配信方法の手順を示すフロー図である。
【図１４】本発明の実施例２における方路選択方法およびパケットコピー方法を示す図である。
【図１５】本発明による非固定パス方式かつ積極コピー方式の情報配信方法の手順を説明するフロー図である。
【図１６】本発明の実施例３における方路選択方法およびパケットコピー方法を示す図である。
【符号の説明】
１０  情報配信システム
２０  情報配信サーバ
３０  ゲートノード
４０、４５  中継ノード
５０  エッジノード
６０  ホームロケーションレジスタ（ＨＬＲ）
７０  移動局
【図１】
0003623694.tif 000002
【図２】
0003623694.tif 000003
【図３】
0003623694.tif 000004
【図４】
0003623694.tif 000005
【図５】
0003623694.tif 000006
【図６】
0003623694.tif 000007
【図７】
0003623694.tif 000008
【図８】
0003623694.tif 000009
【図９】
0003623694.tif 000010
【図１０】
0003623694.tif 000011
【図１１】
0003623694.tif 000012
【図１２】
0003623694.tif 000013
【図１３】
0003623694.tif 000014
【図１４】
0003623694.tif 000015
【図１５】
0003623694.tif 000016
【図１６】
0003623694.tif 000017